(57)【要約】【課題】短絡線における整流子とコアとの間の導線が、整流子とコアとの間を周方向に沿って延びることを回避できる電機子を提供する。【解決手段】短絡線４８は、一の主巻線部４４が巻回された一のスロット及び他のスロット並びにその間のスロットを含む複数のスロットのいずれか（一例として、ＮＯ．１７のティース３４とＮＯ．１８のティース３４との間のスロット３６）を通ると共に、他の主巻線部４６が巻回された一のスロット及び他のスロット並びにその間のスロットを含む複数のスロットのいずれか（一例として、ＮＯ．８のティース３４とＮＯ．９のティース３４との間のスロット３６）を通っている。【選択図】図２
2015136247.tif 000002
【特許請求の範囲】
【請求項１】
複数の整流子片が周方向に並んで設けられた整流子と、
前記整流子と同軸上に設けられると共に、軸方向に延びるスロットが周方向に複数並んで形成されたコアと、
少なくとも一つの前記スロットを跨いで一の前記スロットから他の前記スロットに亘って分布巻き方式で巻回されると共に、始端及び終端が互いに隣接する前記整流子片とそれぞれ結線された主巻線部と、
一端が一の前記主巻線部の終端が結線された前記整流子片と結線され、前記一の主巻線部が巻回された一の前記スロット及び他の前記スロット並びにその間の前記スロットを含む複数の前記スロットのいずれかを通ると共に、他の前記主巻線部が巻回された一の前記スロット及び他の前記スロット並びにその間の前記スロットを含む複数の前記スロットのいずれかを通り、他端が前記他の主巻線部の始端が結線された前記整流子片と結線された短絡線と、
を備えた電機子。
【請求項２】
前記短絡線の一端及び他端は、前記一の主巻線部の終端及び前記他の主巻線部の始端とそれぞれ連続している、
請求項１に記載の電機子。
【請求項３】
前記短絡線は、前記一の主巻線部が巻回された前記一のスロットと前記他のスロットとの間の前記スロット、及び、前記他の主巻線部が巻回された前記一のスロットと前記他のスロットとの間の前記スロットを通っている、
請求項１又は請求項２に記載の電機子。
【請求項４】
前記短絡線は、前記一の主巻線部が巻回された前記一のスロットと前記他のスロットとのうちの前記一のスロット、及び、前記他の主巻線部が巻回された前記一のスロットと前記他のスロットとの間の前記スロットを通っている、
請求項１又は請求項２に記載の電機子。
【請求項５】
前記短絡線は、前記一の主巻線部が巻回された前記一のスロットと前記他のスロットとのうちの前記他のスロット、及び、前記他の主巻線部が巻回された前記一のスロットと前記他のスロットとの間の前記スロットを通っている、
請求項１又は請求項２に記載の電機子。
【請求項６】
前記短絡線は、前記一の主巻線部が巻回された前記一のスロットと前記他のスロットとの間の前記スロット、及び、前記他の主巻線部が巻回された前記一のスロットと前記他のスロットとのうちの前記一のスロットを通っている、
請求項１又は請求項２に記載の電機子。
【請求項７】
前記短絡線は、前記一の主巻線部が巻回された前記一のスロットと前記他のスロットとの間の前記スロット、及び、前記他の主巻線部が巻回された前記一のスロットと前記他のスロットとのうちの前記他のスロットを通っている、
請求項１又は請求項２に記載の電機子。
【請求項８】
請求項１〜請求項７のいずれか一項に記載の電機子と、
前記整流子と摺接されるブラシと、
前記コアと対向するマグネットと、
を備えた回転電機。
【発明の詳細な説明】
【技術分野】
【０００１】
本発明は、電機子及び回転電機に関する。
【背景技術】
【０００２】
ブラシ付き直流型の回転電機における電機子としては、同電位であるべき整流子片同士を接続する短絡線（均圧線）を備えたものがある。また、例えば、特許文献１に記載されている通り、このような短絡線を備えた電機子のなかには、短絡線がコアに形成されたスロットを通るものがある。
【先行技術文献】
【特許文献】
【０００３】
【特許文献１】特許第３２７８４０２号公報
【発明の概要】
【発明が解決しようとする課題】
【０００４】
特許文献１に記載の電機子では、短絡線における整流子とコアとの間の導線が、整流子とコアとの間を周方向に沿って延びている（いわゆる横走りしている）。従って、この導線が存在することにより、整流子とコアを近づけて配置することが困難となり、電機子の軸方向への小型化が阻害される虞がある。また、上記導線が他の整流子片や結線部などと干渉してショートしたりする虞もある。よって、短絡線における整流子とコアとの間の導線が、整流子とコアとの間を周方向に沿って延びることを回避できる短絡線の巻回方法が望まれる。
【０００５】
そこで、本発明は、短絡線における整流子とコアとの間の導線が、整流子とコアとの間を周方向に沿って延びることを回避できる電機子及びこれを備えた回転電機を提供することを目的とする。
【課題を解決するための手段】
【０００６】
上記目的を達成するために、請求項１に記載の電機子は、複数の整流子片が周方向に並んで設けられた整流子と、前記整流子と同軸上に設けられると共に、軸方向に延びるスロットが周方向に複数並んで形成されたコアと、少なくとも一つの前記スロットを跨いで一の前記スロットから他の前記スロットに亘って分布巻き方式で巻回されると共に、始端及び終端が互いに隣接する前記整流子片とそれぞれ結線された主巻線部と、一端が一の前記主巻線部の終端が結線された前記整流子片と結線され、前記一の主巻線部が巻回された一の前記スロット及び他の前記スロット並びにその間の前記スロットを含む複数の前記スロットのいずれかを通ると共に、他の前記主巻線部が巻回された一の前記スロット及び他の前記スロット並びにその間の前記スロットを含む複数の前記スロットのいずれかを通り、他端が前記他の主巻線部の始端が結線された前記整流子片と結線された短絡線と、を備える。
【０００７】
この電機子によれば、一の整流子片と他の整流子片とを接続する短絡線は、一の主巻線部が巻回された一のスロット及び他のスロット並びにその間のスロットを含む複数のスロットのいずれかを通ると共に、他の主巻線部が巻回された一のスロット及び他のスロット並びにその間のスロットを含む複数のスロットのいずれかを通っている。従って、短絡線が通るスロットと、短絡線が結線された整流子片との位置が近いので、短絡線における整流子とコアとの間の導線の傾斜角度（整流子及びコアの軸方向に対する傾斜角度）を小さくすることができる。これにより、短絡線における整流子とコアとの間の導線が整流子とコアとの間を周方向に沿って延びることを回避することができる。
【０００８】
請求項２に記載の電機子は、請求項１に記載の電機子において、前記短絡線の一端及び他端が、前記一の主巻線部の終端及び前記他の主巻線部の始端とそれぞれ連続する構成とされている。
【０００９】
この電機子によれば、短絡線の一端及び他端は、一の主巻線部の終端及び他の主巻線部の始端とそれぞれ連続しているので、主巻線部及び短絡線を連続してコアに巻回することができる。これにより、主巻線部及び短絡線をコアに巻回する際の作業効率を向上させることができる。
【００１０】
なお、請求項３に記載の電機子のように、請求項１又は請求項２に記載の電機子において、前記短絡線は、前記一の主巻線部が巻回された前記一のスロットと前記他のスロットとの間の前記スロット、及び、前記他の主巻線部が巻回された前記一のスロットと前記他のスロットとの間の前記スロットを通っていても良い。
【００１１】
また、請求項４に記載の電機子のように、請求項１又は請求項２に記載の電機子において、前記短絡線は、前記一の主巻線部が巻回された前記一のスロットと前記他のスロットとのうちの前記一のスロット、及び、前記他の主巻線部が巻回された前記一のスロットと前記他のスロットとの間の前記スロットを通っていても良い。
【００１２】
また、請求項５に記載の電機子のように、請求項１又は請求項２に記載の電機子において、前記短絡線は、前記一の主巻線部が巻回された前記一のスロットと前記他のスロットとのうちの前記他のスロット、及び、前記他の主巻線部が巻回された前記一のスロットと前記他のスロットとの間の前記スロットを通っていても良い。
【００１３】
また、請求項６に記載の電機子のように、請求項１又は請求項２に記載の電機子において、前記短絡線は、前記一の主巻線部が巻回された前記一のスロットと前記他のスロットとの間の前記スロット、及び、前記他の主巻線部が巻回された前記一のスロットと前記他のスロットとのうちの前記一のスロットを通っていても良い。
【００１４】
また、請求項７に記載の電機子のように、請求項１又は請求項２に記載の電機子において、前記短絡線は、前記一の主巻線部が巻回された前記一のスロットと前記他のスロットとの間の前記スロット、及び、前記他の主巻線部が巻回された前記一のスロットと前記他のスロットとのうちの前記他のスロットを通っていても良い。
【００１５】
請求項８に記載の回転電機は、請求項１〜請求項７のいずれか一項に記載の電機子と、前記整流子と摺接されるブラシと、前記コアと対向するマグネットとを備えている。
【００１６】
この回転電機によれば、上述の請求項１〜請求項７のいずれか一項に記載の電機子を備えることにより、短絡線における整流子とコアとの間の導線が、整流子とコアとの間を周方向に沿って延びることを回避することができる。これにより、例えば、整流子とコアを近づけて配置することができるので、電機子の軸方向への小型化、ひいては、回転電機の軸方向への小型化を図ることができる。また、上記導線が他の整流子片や結線部などと干渉してショートすることを抑制することができるので、回転電機の信頼性を向上させることができる。
【図面の簡単な説明】
【００１７】
【図１】本発明の一実施形態に係る回転電機の縦断面図である。
【図２】第一実施例に係る短絡線の巻回方法を説明する図である。
【図３】第二実施例に係る短絡線の巻回方法を説明する図である。
【図４】第三実施例に係る短絡線の巻回方法を説明する図である。
【図５】第四実施例に係る短絡線の巻回方法を説明する図である。
【図６】第五実施例に係る短絡線の巻回方法を説明する図である。
【図７】第六実施例に係る短絡線の巻回方法を説明する図である。
【発明を実施するための形態】
【００１８】
以下、本発明の一実施形態を説明する。
【００１９】
図１に示される本発明の一実施形態に係る回転電機Ｍは、ブラシ付き直流モータである。この回転電機Ｍは、電機子１０（回転子）、固定子１２、フロントハウジング１４、エンドハウジング１６、及び、ブラシ装置１８を備えている。
【００２０】
電機子１０は、シャフト２０、整流子２２、コア２４、及び、巻線２６を有している。シャフト２０は、フロントハウジング１４及びエンドハウジング１６に設けられた一対の軸受２８，３０により回転可能に支持されている。整流子２２及びコア２４は、シャフト２０に取り付けられており、シャフト２０の軸方向に並んでいる。整流子２２には、複数の整流子片３２が周方向に並んで設けられている。
【００２１】
コア２４は、整流子２２と同軸上に設けられている。このコア２４には、複数のティース３４が放射状に形成されており、隣り合うティース３４間には、コア２４の軸方向に延びるスロット３６が形成されている。スロット３６は、周方向に複数並んで形成されている。巻線２６は、後述する如く主巻線部及び短絡線を有しており、コア２４に巻回されている。
【００２２】
固定子１２は、ヨーク３８、及び、マグネット４０を有している。ヨーク３８は、筒状に形成されている。マグネット４０は、ヨーク３８の内周面に固定されており、コア２４と対向する。フロントハウジング１４は、ヨーク３８の軸方向一方側の端部に固定されており、エンドハウジング１６は、ヨーク３８の軸方向他方側の端部に固定されている。ブラシ装置１８は、フロントハウジング１４に固定されており、ブラシ４２を有している。ブラシ４２は、電機子１０の回転に伴い整流子２２と摺接される。
【００２３】
続いて、上述の巻線２６を構成する主巻線部及び短絡線の巻回方法について説明する。
【００２４】
図２〜図７には、主巻線部及び短絡線の巻回方法の第一乃至第六実施例が示されている。この図２〜図７に示される各実施例では、一例として、マグネット４０の極数は４個とされ、整流子片３２及びスロット３６の数は１８個とされている。各図には、整流子片３２及びスロット３６にそれぞれ番号（ＮＯ．１〜ＮＯ．１８）が付されている。また、各巻線２６は、一対の主巻線部４４，４６と、この一対の主巻線部４４，４６を接続する短絡線４８（均圧線）を有している。巻線２６は、例えばフライヤ装置等の巻線巻回装置により巻回される。
【００２５】
［第一実施例］
図２に示される第一実施例において、一の主巻線部４４の始端４４Ａは、ＮＯ．１の整流子片３２に結線される。その後、一の主巻線部４４は、ＮＯ．２のティース３４とＮＯ．３のティース３４との間のスロット３６（一のスロット）から、ＮＯ．１６のティース３４とＮＯ．１７のティース３４との間のスロット３６（他のスロット）に亘って分布巻き方式で複数回巻回される。つまり、一の主巻線部４４は、３個のスロット３６を跨いで５個のスロット３６に亘って巻回される。そして、一の主巻線部４４の終端４４Ｂは、ＮＯ．１の整流子片３２に隣接するＮＯ．１８の整流子片３２に結線される。
【００２６】
短絡線４８の一端４８Ａは、上述の一の主巻線部４４の終端４４Ｂと連続しており、一の主巻線部４４の終端４４Ｂと一緒にＮＯ．１８の整流子片３２に結線される。その後、短絡線４８は、ＮＯ．１７のティース３４とＮＯ．１８のティース３４との間のスロット３６（上述の一の主巻線部４４が巻回された一のスロットと他のスロットとの間のスロット３６）を通ってコア２４における整流子２２と反対側に導出された後、コア２４の周方向に配線される。
【００２７】
また、その後、短絡線４８は、ＮＯ．８のティース３４とＮＯ．９のティース３４との間のスロット３６（後述する他の主巻線部４６が巻回される一のスロットと他のスロットとの間のスロット３６）を通ってコア２４における整流子２２側に導出される。そして、短絡線４８の他端４８Ｂは、ＮＯ．９の整流子片３２に結線される。この短絡線４８が通る一のスロット３６と他のスロット３６とは、整流子２２の中心角１８０度分に相当する距離離れている。
【００２８】
他の主巻線部４６の始端４６Ａは、上述の短絡線４８の他端４８Ｂと連続しており、短絡線４８の他端４８Ｂと一緒にＮＯ．９の整流子片３２に結線される。その後、他の主巻線部４６は、ＮＯ．１０のティース３４とＮＯ．１１のティース３４との間のスロット３６（一のスロット）から、ＮＯ．６のティース３４とＮＯ．７のティース３４との間のスロット３６（他のスロット）に亘って分布巻き方式で複数回巻回される。この他の主巻線部４６も、上述の一の主巻線部４４と同様に、３個のスロット３６を跨いで５個のスロット３６に亘って巻回される。そして、他の主巻線部４６の終端４６Ｂは、ＮＯ．９の整流子片３２に隣接するＮＯ．８の整流子片３２に結線される。
【００２９】
また、他の主巻線部４６の終端４６ＢがＮＯ．８の整流子片３２に結線されると、巻線巻回装置から繰り出される巻線が切断される。整流子片３２には、図示しない結線爪が形成されており、各主巻線部４４，４６の始端４６Ａ及び終端４６Ｂ並びに短絡線４８の一端４８Ａ及び他端４８Ｂは、結線爪に係止された後、ヒュージング加工により結線爪に結線される。そして、上記要領により、一の巻線２６のコア２４への巻回が終了する。また、この一の巻線２６（図２において実線で表示）の巻回と同時に、この一の巻線２６と１８０度反対側の位置では、一の巻線２６と同様に、他の巻線２６（図２において破線で表示）が巻回される。
【００３０】
そして、図２において二点鎖線で示されるように、スロット２個分ずれた位置から次の一の巻線２６が巻回され、上記要領が繰り返されることにより、コア２４に複数の巻線２６が巻回される。
【００３１】
続いて、この第一実施例の作用及び効果を説明する。
【００３２】
この第一実施例によれば、一の整流子片３２と他の整流子片３２とを接続する短絡線４８は、一の主巻線部４４が巻回された一のスロットと他のスロットとの間のスロット３６（ＮＯ．１７のティース３４とＮＯ．１８のティース３４との間のスロット３６）を通ると共に、他の主巻線部４６が巻回された一のスロットと他のスロットとの間のスロット３６（ＮＯ．８のティース３４とＮＯ．９のティース３４との間のスロット３６）を通っている。
【００３３】
従って、短絡線４８が通るスロット３６と、短絡線４８が結線された整流子片３２との位置が近いので、短絡線４８における整流子とコアとの間の導線５０の傾斜角度（整流子２２及びコア２４の軸方向に対する傾斜角度）を小さくすることができる。これにより、短絡線４８における整流子とコアとの間の導線５０が整流子２２とコア２４との間を周方向に沿って延びること（いわゆる横走りすること）を回避することができる。
【００３４】
また、短絡線４８における整流子とコアとの間の導線５０が整流子２２とコア２４との間を周方向に沿って延びることを回避することができるので、整流子２２とコア２４とを近づけて配置することができ、電機子１０の軸方向への小型化を図ることができる。しかも、上記導線５０が他の整流子片３２や結線部などと干渉してショートすることも抑制することができる。
【００３５】
さらに、短絡線４８における整流子とコアとの間の一の導線５０と他の導線５０が交差しないので、このことによっても、整流子２２とコア２４とを近づけて配置することができる。
【００３６】
また、短絡線４８の一端４８Ａ及び他端４８Ｂは、一の主巻線部４４の終端４４Ｂ及び他の主巻線部４６の始端４６Ａとそれぞれ連続しているので、主巻線部４４，４６及び短絡線４８を連続してコア２４に巻回することができる。これにより、主巻線部４４，４６及び短絡線４８をコア２４に巻回する際の作業効率を向上させることができる。
【００３７】
また、この電機子１０を備えた回転電機Ｍ（図１参照）によれば、電機子１０の軸方向への小型化に伴い、回転電機Ｍの軸方向への小型化を図ることができる。また、短絡線４８における整流子とコアとの間の導線５０が他の整流子片３２や結線部などと干渉してショートすることを抑制することができるので、回転電機Ｍの信頼性を向上させることができる。
【００３８】
なお、第一実施例では、短絡線４８を上記巻回方法で巻回することにより、短絡線４８における一のスロット３６を通る導線と他のスロット３６を通る導線とにそれぞれ発生する誘起電圧は、互いに相殺される。
【００３９】
［第二実施例］
図３に示される第二実施例では、上述の第一実施例に対して、主巻線部４４，４６の巻回方法は同一であるが、短絡線４８の巻回方法が次のように変更されている。つまり、図３に示される第二実施例において、短絡線４８は、ＮＯ．１６のティース３４とＮＯ．１７のティース３４との間のスロット３６（上述の一の主巻線部４４が巻回された一のスロットと他のスロットとのうちの他のスロット３６）を通ってコア２４における整流子２２と反対側に導出された後、コア２４の周方向に配線される。
【００４０】
また、その後、短絡線４８は、ＮＯ．７のティース３４とＮＯ．８のティース３４との間のスロット３６（他の主巻線部４６が巻回される一のスロットと他のスロットとの間のスロット３６）を通ってコア２４における整流子２２側に導出される。この短絡線４８が通る一のスロット３６と他のスロット３６とは、整流子２２の中心角１８０度分に相当する距離離れている。
【００４１】
この第二実施例によれば、一の整流子片３２と他の整流子片３２とを接続する短絡線４８は、一の主巻線部４４が巻回された一のスロットと他のスロットとのうちの他のスロット３６（ＮＯ．１６のティース３４とＮＯ．１７のティース３４との間のスロット３６）を通ると共に、他の主巻線部４６が巻回された一のスロットと他のスロットとの間のスロット３６（ＮＯ．７のティース３４とＮＯ．８のティース３４との間のスロット３６）を通っている。
【００４２】
従って、短絡線４８が通るスロット３６と、短絡線４８が結線された整流子片３２との位置が近いので、短絡線４８における整流子とコアとの間の導線５０の傾斜角度（整流子２２及びコア２４の軸方向に対する傾斜角度）を小さくすることができる。これにより、第一実施例と同様に、短絡線４８における整流子とコアとの間の導線５０が整流子２２とコア２４との間を周方向に沿って延びること（いわゆる横走りすること）を回避することができる。
【００４３】
また、短絡線４８における整流子とコアとの間の一の導線５０と他の導線５０が交差しないので、整流子２２とコア２４とを近づけて配置することができる。
【００４４】
なお、第二実施例においても、短絡線４８を上記巻回方法で巻回することにより、短絡線４８における一のスロット３６を通る導線と他のスロット３６を通る導線とにそれぞれ発生する誘起電圧は、互いに相殺される。
【００４５】
［第三実施例］
図４に示される第三実施例では、上述の第一実施例に対して、主巻線部４４，４６の巻回方法は同一であるが、短絡線４８の巻回方法が次のように変更されている。つまり、図４に示される第三実施例において、短絡線４８は、ＮＯ．１８のティース３４とＮＯ．１のティース３４との間のスロット３６（上述の一の主巻線部４４が巻回された一のスロットと他のスロットとの間のスロット３６）を通ってコア２４における整流子２２と反対側に導出された後、コア２４の周方向に配線される。
【００４６】
また、その後、短絡線４８は、ＮＯ．９のティース３４とＮＯ．１０のティース３４との間のスロット３６（他の主巻線部４６が巻回される一のスロットと他のスロットとの間のスロット３６）を通ってコア２４における整流子２２側に導出される。この短絡線４８が通る一のスロット３６と他のスロット３６とは、整流子２２の中心角１８０度分に相当する距離離れている。
【００４７】
この第三実施例によれば、一の整流子片３２と他の整流子片３２とを接続する短絡線４８は、一の主巻線部４４が巻回された一のスロットと他のスロットとの間のスロット３６（ＮＯ．１８のティース３４とＮＯ．１のティース３４との間のスロット３６）を通ると共に、他の主巻線部４６が巻回された一のスロットと他のスロットとの間のスロット３６（ＮＯ．９のティース３４とＮＯ．１０のティース３４との間のスロット３６）を通っている。
【００４８】
従って、短絡線４８が通るスロット３６と、短絡線４８が結線された整流子片３２との位置が近いので、短絡線４８における整流子とコアとの間の導線５０の傾斜角度（整流子２２及びコア２４の軸方向に対する傾斜角度）を小さくすることができる。これにより、第一実施例と同様に、短絡線４８における整流子とコアとの間の導線５０が整流子２２とコア２４との間を周方向に沿って延びること（いわゆる横走りすること）を回避することができる。
【００４９】
また、短絡線４８における整流子とコアとの間の一の導線５０と他の導線５０が交差しないので、整流子２２とコア２４とを近づけて配置することができる。
【００５０】
なお、第三実施例においても、短絡線４８を上記巻回方法で巻回することにより、短絡線４８における一のスロット３６を通る導線と他のスロット３６を通る導線とにそれぞれ発生する誘起電圧は、互いに相殺される。
【００５１】
［第四実施例］
図５に示される第四実施例では、上述の第一実施例に対して、主巻線部４４，４６の巻回方法は同一であるが、短絡線４８の巻回方法が次のように変更されている。つまり、図５に示される第四実施例において、短絡線４８は、ＮＯ．１のティース３４とＮＯ．２のティース３４との間のスロット３６（上述の一の主巻線部４４が巻回された一のスロットと他のスロットとの間のスロット３６）を通ってコア２４における整流子２２と反対側に導出された後、コア２４の周方向に配線される。
【００５２】
また、その後、短絡線４８は、ＮＯ．１０のティース３４とＮＯ．１１のティース３４との間のスロット３６（他の主巻線部４６が巻回される一のスロットと他のスロットとのうちの一のスロット３６）を通ってコア２４における整流子２２側に導出される。この短絡線４８が通る一のスロット３６と他のスロット３６とは、整流子２２の中心角１８０度分に相当する距離離れている。
【００５３】
この第四実施例によれば、一の整流子片３２と他の整流子片３２とを接続する短絡線４８は、一の主巻線部４４が巻回された一のスロットと他のスロットとの間のスロット３６（ＮＯ．１のティース３４とＮＯ．２のティース３４との間のスロット３６）を通ると共に、他の主巻線部４６が巻回された一のスロットと他のスロットとのうちの一のスロット３６（ＮＯ．１０のティース３４とＮＯ．１１のティース３４との間のスロット３６）を通っている。
【００５４】
従って、短絡線４８が通るスロット３６と、短絡線４８が結線された整流子片３２との位置が近いので、短絡線４８における整流子とコアとの間の導線５０の傾斜角度（整流子２２及びコア２４の軸方向に対する傾斜角度）を小さくすることができる。これにより、第一実施例と同様に、短絡線４８における整流子とコアとの間の導線５０が整流子２２とコア２４との間を周方向に沿って延びること（いわゆる横走りすること）を回避することができる。
【００５５】
また、短絡線４８における整流子とコアとの間の一の導線５０と他の導線５０が交差しないので、整流子２２とコア２４とを近づけて配置することができる。
【００５６】
なお、第四実施例においても、短絡線４８を上記巻回方法で巻回することにより、短絡線４８における一のスロット３６を通る導線と他のスロット３６を通る導線とにそれぞれ発生する誘起電圧は、互いに相殺される。
【００５７】
［第五実施例］
図６に示される第五実施例では、上述の第一実施例に対して、主巻線部４４，４６の巻回方法は同一であるが、短絡線４８の巻回方法が次のように変更されている。つまり、図６に示される第五実施例において、短絡線４８は、ＮＯ．１のティース３４とＮＯ．２のティース３４との間のスロット３６（上述の一の主巻線部４４が巻回された一のスロットと他のスロットとの間のスロット３６）を通ってコア２４における整流子２２と反対側に導出された後、コア２４の周方向に配線される。
【００５８】
また、その後、短絡線４８は、ＮＯ．６のティース３４とＮＯ．７のティース３４との間のスロット３６（他の主巻線部４６が巻回される一のスロットと他のスロットとのうちの他のスロット３６）を通ってコア２４における整流子２２側に導出される。この短絡線４８が通る一のスロット３６と他のスロット３６とは、整流子２２の中心角１００度分に相当する距離離れている。
【００５９】
この第五実施例によれば、一の整流子片３２と他の整流子片３２とを接続する短絡線４８は、一の主巻線部４４が巻回された一のスロットと他のスロットとの間のスロット３６（ＮＯ．１のティース３４とＮＯ．２のティース３４との間のスロット３６）を通ると共に、他の主巻線部４６が巻回された一のスロットと他のスロットとのうちの他のスロット３６（ＮＯ．６のティース３４とＮＯ．７のティース３４との間のスロット３６）を通っている。
【００６０】
従って、短絡線４８が通るスロット３６と、短絡線４８が結線された整流子片３２との位置が近いので、短絡線４８における整流子とコアとの間の導線５０の傾斜角度（整流子２２及びコア２４の軸方向に対する傾斜角度）を小さくすることができる。これにより、第一実施例と同様に、短絡線４８における整流子とコアとの間の導線５０が整流子２２とコア２４との間を周方向に沿って延びること（いわゆる横走りすること）を回避することができる。
【００６１】
また、短絡線４８における整流子とコアとの間の一の導線５０と他の導線５０が交差しないので、整流子２２とコア２４とを近づけて配置することができる。
【００６２】
なお、第五実施例においても、短絡線４８を上記巻回方法で巻回することにより、短絡線４８における一のスロット３６を通る導線と他のスロット３６を通る導線とにそれぞれ発生する誘起電圧は、互いに相殺される。
【００６３】
［第六実施例］
図７に示される第六実施例では、上述の第一実施例に対して、主巻線部４４，４６の巻回方法は同一であるが、短絡線４８の巻回方法が次のように変更されている。つまり、図７に示される第六実施例において、短絡線４８は、ＮＯ．２のティース３４とＮＯ．３のティース３４との間のスロット３６（上述の一の主巻線部４４が巻回された一のスロットと他のスロットとのうちの一のスロット３６）を通ってコア２４における整流子２２と反対側に導出された後、コア２４の周方向に配線される。
【００６４】
また、その後、短絡線４８は、ＮＯ．７のティース３４とＮＯ．８のティース３４との間のスロット３６（他の主巻線部４６が巻回される一のスロットと他のスロットとの間のスロット３６）を通ってコア２４における整流子２２側に導出される。この短絡線４８が通る一のスロット３６と他のスロット３６とは、整流子２２の中心角１００度分に相当する距離離れている。
【００６５】
この第六実施例によれば、一の整流子片３２と他の整流子片３２とを接続する短絡線４８は、一の主巻線部４４が巻回された一のスロットと他のスロットとの間のスロット３６（ＮＯ．２のティース３４とＮＯ．３のティース３４との間のスロット３６）を通ると共に、他の主巻線部４６が巻回された一のスロットと他のスロットとのうちの他のスロット３６（ＮＯ．７のティース３４とＮＯ．８のティース３４との間のスロット３６）を通っている。
【００６６】
従って、短絡線４８が通るスロット３６と、短絡線４８が結線された整流子片３２との位置が近いので、短絡線４８における整流子とコアとの間の導線５０の傾斜角度（整流子２２及びコア２４の軸方向に対する傾斜角度）を小さくすることができる。これにより、第一実施例と同様に、短絡線４８における整流子とコアとの間の導線５０が整流子２２とコア２４との間を周方向に沿って延びること（いわゆる横走りすること）を回避することができる。
【００６７】
また、短絡線４８における整流子とコアとの間の一の導線５０と他の導線５０が交差しないので、整流子２２とコア２４とを近づけて配置することができる。
【００６８】
なお、第六実施例においても、短絡線４８を上記巻回方法で巻回することにより、短絡線４８における一のスロット３６を通る導線と他のスロット３６を通る導線とにそれぞれ発生する誘起電圧は、互いに相殺される。
【００６９】
次に、本発明の一実施形態の変形例（第一乃至第六実施例に共通の変形例）について説明する。
【００７０】
上記実施形態において、マグネット４０の極数は４個とされ、整流子片３２及びスロット３６の数は１８個とされていたが、マグネット４０の極数、整流子片３２及びスロット３６の数は、上記以外でも良い。
【００７１】
また、各主巻線部４４，４６は、３個のスロット３６を跨いで５個のスロット３６に亘って巻回されていたが、マグネット４０の極数、整流子片３２及びスロット３６の数の変更に伴い、各主巻線部４４，４６は、少なくとも一つのスロット３６を跨いで一のスロット３６から他のスロット３６に亘って分布巻き方式で巻回されても良い。
【００７２】
また、短絡線４８の一端４８Ａ及び他端４８Ｂは、一の主巻線部４４の終端４４Ｂ及び他の主巻線部４６の始端４６Ａとそれぞれ連続していたが、一の主巻線部４４の終端４４Ｂ及び他の主巻線部４６の始端４６Ａとそれぞれ連続していなくても良い（主巻線部４４，４６及び短絡線４８が別々の導線５０で構成されていても良い）。
【００７３】
また、短絡線４８における一のスロット３６と他のスロット３６との間の部分は、上記各図に示された方向と逆方向に配線されても良い。
【００７４】
以上、本発明の一実施形態について説明したが、本発明は、上記に限定されるものでなく、上記以外にも、その主旨を逸脱しない範囲内において種々変形して実施可能であることは勿論である。
【符号の説明】
【００７５】
１０…電機子、１２…固定子、１４…フロントハウジング、１６…エンドハウジング、１８…ブラシ装置、２０…シャフト、２２…整流子、２４…コア、２６…巻線、２８，３０…軸受、３２…整流子片、３４…ティース、３６…スロット、３８…ヨーク、４０…マグネット、４２…ブラシ、４４…一の主巻線部、４６…他の主巻線部、４４Ａ，４６Ａ…始端、４４Ｂ，４６Ｂ…終端、４８…短絡線、４８Ａ…短絡線の一端、４８Ｂ…短絡線の他端、５０…短絡線における整流子とコアとの間の導線、Ｍ…回転電機
【図１】
2015136247.tif 000003
【図２】
2015136247.tif 000004
【図３】
2015136247.tif 000005
【図４】
2015136247.tif 000006
【図５】
2015136247.tif 000007
【図６】
2015136247.tif 000008
【図７】
2015136247.tif 000009